(57)【特許請求の範囲】
【請求項１】
便器に付設した脱臭ダクトの便器内側の端部の下面に吸い込み開口を形成し、該吸い込み開口に集塵フィルターを備えた吸い込みプレートを脱臭ダクトから出し入れ自在にしてなる脱臭装置において、前記吸い込みプレートを便器内に引き出したときに前記吸い込みプレートが前記吸い込み開口から完全に抜けるのを防止するために前記吸い込みプレートの一部を支持する防止機構を設けると共に、該防止機構は、前記吸い込みプレートの一部の支持を解除して前記吸い込み開口から抜き差し自在となるように構成したことを特徴とする脱臭装置。
【請求項２】
請求項１記載の脱臭装置において、前記防止機構は、前記吸い込み開口の側壁に設けた差し込み凹溝と、前記吸い込みプレートの側部に設けた差し込み突片とにより構成し、該差し込み突片を出没自在とすることで、前記吸い込み開口から抜き差し自在に構成したことを特徴とする脱臭装置。
【請求項３】
請求項２記載の脱臭装置において、差し込み凹溝１６の中途部から吸い込みプレート取出開口面までを徐々に縮径される傾斜面としたことを特徴とする脱臭装置。
【請求項４】
請求項３記載の脱臭装置において、前記傾斜面を、傾斜前部と傾斜後部の２段に形成し、傾斜前部を比較的鋭い角度とし、傾斜後部を比較的浅い角度としたことを特徴とする脱臭装置。
【請求項５】
請求項１記載の脱臭装置において、前記防止機構は、前記吸い込み開口の側壁に設けた差し込み凹溝と、前記吸い込みプレートの側部に設けた差し込み突片とにより構成し、該差し込み凹溝に上下の段差を有することで、前記吸い込み開口から抜き差し自在に構成したことを特徴とする脱臭装置。
【請求項６】
請求項１記載の脱臭装置において、前記防止機構は、前記吸い込み開口の側壁に設けた保持凹溝及び保持ガイドと、前記吸い込みプレートの側部に設けた差し込み鍔部及び断面逆Ｕ字形状の板ばね状の係合部とにより構成し、該保持凹溝と差し込み鍔部との係合を解くことにより前記吸い込み開口から抜き差し自在に構成したことを特徴とする脱臭装置。
【請求項７】
請求項１乃至６のいずれかに記載の脱臭装置において、前記集塵フィルターを前記吸い込み開口端から所定の距離をおいて配置したことを特徴とする脱臭装置。
【発明の詳細な説明】
【０００１】
【発明の属する技術分野】
本発明は便器内の臭気を脱臭して便器外へ排出するものにおける吸い込み部の構造に関するものである。
【０００２】
【従来の技術】
従来は、例えば実公平６−２６６０２号公報に掲載されるものがある。このものは、便器に付設した脱臭ダクトの下面から、多数の吸い込み孔を開けた吸い込みプレートを便器内に出し入れ可能とすることで、吸い込み孔のある部分を便器上から簡単に見ることができて汚れ具合がよくわかると共に掃除のしやすい便器脱臭装置を提供したものである。なお、吸い込みプレートはスライドさせて引き抜いたり、または片方を回転軸として回転させて引き出されるようになっている。
【０００３】
【発明が解決しようとする課題】
上記のものにおいて、スライドさせて引き抜く構造のものは、容易に引き抜けるようにしている上に便器内に引き抜く構造となっている。従って、出し入れの繰り返し等で固定が弱くなった際には、便座への着座、離座や便座、便蓋の開閉動作による振動等で、外れて便器内へ落下してしまう恐れがある。さらに吸い込みプレートの落下に気づかずに、便器内へ放水を開始した場合には、吸い込みプレートを紛失するばかりでなく、便器のトラップ部への詰まりが発生する可能性がある。
【０００４】
また、片方を回動軸とした場合には、上記のような不具合は無いが、完全に取り外せないために、実際に清掃が必要な吸い込みプレートの裏面の清掃ができない。
【０００５】
【課題を解決するための手段及びその作用・効果】
本発明の便器脱臭構造は、便器１に付設した脱臭ダクト５の便器１内側の端部の下面に吸い込み部を形成するにあたって、集塵フィルター８を面設した吸い込みプレート１５を脱臭ダクト５から出し入れ自在にしたものであって、上述のように構成することにより従来の欠点を解決したものである。つまり、集塵フィルター８を有する吸い込みプレート１５を便器１内に出し入れ自在にしたことにより、吸い込みプレート１５を便器１内に出して上から集塵フィルター８を目視できて集塵フィルター８の汚れ具合を確認でき、しかも、防止機構により、完全に集塵フィルターが抜け落ちるのを防止している。汚れ具合により、清掃が必要なときには、防止機構を脱臭ダクトから取り外すことにより、集塵フィルターを完全に取り外すことができるので、清掃が簡単である。
【０００６】
更に、開口の表面側と距離をおいて配置したので、便器リム面により集塵フィルターの一部の面が塞がれた場合でも吸い込み路を十分確保することができる。これにより、脱臭効率を下げることがない。
【０００７】
【発明の実施の形態】
以下本発明の実施例を添付図面を参照して説明する。
【０００８】
便器１や温水洗浄装置２の構造は従来例と同じであるので説明を省略し、従来例と異なる脱臭ダクト５の吸い込み部分の構造について説明する。第１図乃至第３図を用いて、第１の実施例を説明する。第１図に示すように、脱臭ダクト５の便器１内側の端部の下面には矩形状の吸い込み開口１４を設けてあり、開口１４縁に沿って差し込み凹溝１６を穿設してある。吸い込みプレート１５は矩形状に形成され、両端縁に出没自在な差し込み突片１７を差し込み凹溝１６にスライド自在に嵌合することにより開口１４に吸い込みプレート１５を装着してあり、吸い込みプレート１５を便器１内側に引くことにより便器１内に引き出せるようになっている。なお、吸い込みプレート支持バー１８を開口１４下端の一部に設け、吸い込みプレート１５が開口１４下方に落ちるのを防止している。
【０００９】
第２図に示すように、出没自在な差し込み突片１７には、鍔部１７ａが設けられ、該鍔部１７ａは吸い込みプレート１５の後方の両側部に設けられる突片収納部１５ａ内にスプリング１９を介して収納されている。なお、スプリング１９により差し込み突片１７は常時は図示のように突出状態となっている。なお、差し込み突片１７の後端には傾斜部１７ｂが設けられている。
【００１０】
差し込み凹溝１６の前方側は徐々に縮径される傾斜面１６ａとなっており、傾斜前部１６ｂの傾斜角θ１は１０〜２０゜と比較的鋭い角度としており、傾斜後部１６ｃの傾斜角θ２は３０〜６０゜と比較的浅い角度としている。
【００１１】
このようにしているので、吸い込みプレート１５を引き出すと、まず傾斜前部１６ｂに差し込み突片１７が引っ掛かり、吸い込みプレート１５が完全に抜けるのを防止する。次に、今迄よりも強い力で吸い込みプレート１５を引くと、傾斜前部１６ｂ及び傾斜後部１６ｃの傾斜によりスプリング１９に抗して、差し込み突片１７が徐々に突片収納部１５ａ内に収納され（第３図参照）、差し込み凹溝１６との嵌合が外れるため、吸い込みプレート１５を完全に取り外すことができる。このように吸い込みプレート１５を引きだすことによって、フィルタ８の汚れ具合を目視して確認できると共に更に吸い込みプレート１５を取り外すことによって、簡単に掃除できる。なお、吸い込みプレート１５を開口１４に装着するには、差し込み突片１７を手で引っ込めた状態で差し込む。この際、傾斜部１７ｂを設けているので、吸い込みプレート１５挿入の際、差し込み突片１７が引っ掛かるという不具合が無く、スムーズに吸い込みプレート１５を挿入することができる。
【００１２】
第４図及び第５図を用いて、第１の実施例の変形例を説明する。なお、第１図と同一の機能を果たすものには、同一の図番を付け、第１図と対比して違いのある部分についてのみ説明する。本実施例において、差し込み突片１７は吸い込みプレートと一体に形成されており、出没自在には形成されていない。差し込み凹溝１６は中途部１６ｄで段違いに形成されており、中途部１６ｄには、差し込み突片１７を上下にスライドするのをガイドするガイド部１６ｅを形成している。このように差し込み凹溝をクランク状とし、段差を設けているので、吸い込みプレート１５を引きだすと、まずガイド部１６ｅに差し込み突片１７が当接して、吸い込みプレート１５が完全に抜けるのを防止する。次に、吸い込みプレート１５をガイド部１６ｅに沿って上方に持ち上げた状態で吸い込みプレート１５を引き抜くと、中途部１６ｄに引き続いて形成される差し込み凹溝１６と差し込み突片１７との嵌合がはずれ、吸い込みプレート１５を完全に取り外すことができる。
【００１３】
第６図及び第７図を用いて、第２の実施例を説明する。なお、第１の実施例と同一の機能を果たすものには、同一の図番を付ける。開口１４の左右の一端には、差し込みプレート１５の一端を差込保持するための保持凹溝１４ａを設けており、他端には差し込みプレート１５を弾圧保持するための保持ガイド１４ｂを設ける。
【００１４】
また、差し込みプレート１５の左右には、一端に保持凹溝１４ａに差し込まれる差し込み鍔部１５ｂを、他端に保持ガイド１４ｂにより弾圧される断面逆Ｕ字形状の板ばね状の係合部１５ｃを設けている。なお、係合部１５ｃの先端には把手部１５ｄを設けている。このようにしているので、吸い込みプレート１５の把手部１５ｄを手で持ち、引き下げると、係合部１５ｃと保持ガイド１４ｂとの係合がはずれる。しかし、このとき、差し込み鍔部１５ｂの上面及び下面が、保持凹溝１４ａの上面及び下面壁によって保持され、完全に抜けるのを防止する。次に、吸い込みプレートを矢印▲２▼の方向に引き抜くと、吸い込みプレート１５を完全に取り外すことができる。このように吸い込みプレート１５を引きだすことによって、フィルタ８の汚れ具合を目視して確認できると共に更に吸い込みプレート１５を取り外すことによって、簡単に掃除できる。なお、吸い込みプレート１５を開口１４に装着するには、逆の手順で行う。
【００１５】
第８図は、第２実施例の脱臭装置を便器に装着したものである。図に示すように、集塵フィルター８は吸い込みプレート１５の下端面１５ｆとは若干隙間１５ｇを設けて配置されている。従って、吸い込みプレート１５の下端面１５ｆが便器のリム面により一部塞がれたとしても、その隙間１５ｇの存在により吸い込み路を確保することができる。このようにしているので、便器の形状により、吸い込みプレート下端面１５ｆの塞がれる面積が変わっても、吸い込み路は十分確保される。従って、便器の形状に影響されることなく、吸い込み風量を確保でき、臭気を十分に吸い込むことができる。
【図面の簡単な説明】
【図１】本発明の第１の実施例の要部の一部切り欠き斜視図
【図２】本発明の第１の実施例の要部の上面図
【図３】本発明の第１の実施例の差し込み突片１７の出没状態を示す斜視図
【図４】本発明の第１の実施例の変形例の要部の一部切り欠き斜視図
【図５】本発明の第１の実施例の変形例の要部の側断面図
【図６】本発明の第２の実施例の要部の上面図
【図７】本発明の第２の実施例の要部の側断面図（装着状態と取り外し状態）
【図８】本発明の第２の実施例に係る脱臭装置を便器に装着した側断面図
【符号の説明】
１…便器
２…温水洗浄装置
８…集塵フィルター
１４…開口
１４ａ…保持凹溝
１４ｂ…保持ガイド
１５…プレート
１５ａ…突片収納部
１５ｂ…鍔部
１５ｃ…係合部
１５ｄ…把手部
１５ｆ…プレート下端面
１５ｇ…隙間
１６…凹溝
１６ａ…傾斜面
１６ｂ…傾斜前部
１６ｃ…傾斜後部
１６ｄ…中途部
１６ｅ…ガイド部
１６…凹溝
１７…突片
１７ａ…鍔部
１８…プレート支持バー
１９…スプリング
【図１】
0003596217.tif 000002
【図２】
0003596217.tif 000003
【図３】
0003596217.tif 000004
【図８】
0003596217.tif 000005
【図４】
0003596217.tif 000006
【図５】
0003596217.tif 000007
【図６】
0003596217.tif 000008
【図７】
0003596217.tif 000009